(57)【要約】      （修正有）【課題】保存時には，無線音源が携帯端末のそばに存在し，使用時には無線音源と携帯端末とを容易に分離できる連結装置を提供する。【解決手段】装置は、携帯端末１と携帯端末１からの音声を発することができる無線音源３を脱着可能に接続するための連結装置であって，無線端末１と，無線音源３とそれぞれ接続される第１及び第２のコード部５、７を有する。第１のコード部５は携帯端末１の穴９に対応した第１の取付け具１１を有する。第２のコード部７は，無線音源３と接続するための第２の取付け具１３を有する。第１及び第２のコード部５、７のいずれか又は両方が有する連結部１５を介して，第１のコード部５と第２のコード部７とが脱着できるように接続される。【選択図】図１
2019068112.tif 000002
【特許請求の範囲】
【請求項１】
携帯端末（１）と前記携帯端末（１）からの音声を発することができる無線音源（３）を脱着可能に接続するための連結装置であって，
前記無線端末（１）と，前記無線音源（３）とそれぞれ接続される第１及び第２のコード部（５，７）を有し，
第１のコード部（５）は前記携帯端末（１）の穴（９）に対応した第１の取付け具（１１）を有し，
第２のコード部（７）は，前記無線音源（３）と接続するための第２の取付け具（１３）を有し，
第１及び第２のコード部（５，７）のいずれか又は両方が有する連結部（１５）を介して，第１のコード部（５）と第２のコード部（７）とが脱着できるように接続される装置。
【請求項２】
請求項１に記載の装置であって，
前記携帯端末（１）は，携帯電話であり，
前記携帯端末（１）の穴（９）は，イヤホンジャック又は充電口であり，
前記無線音源（３）は，前記携帯端末（１）からの音声情報を伝えるとともに，前記携帯端末へ音声情報を伝えるヘッドセットである装置。
【請求項３】
請求項２に記載の装置を含む通信装置であって，前記ヘッドセットを含む通信装置。
【請求項４】
請求項３に記載の装置を含む通信装置であって，前記携帯電話を含む通信装置。
【請求項５】
携帯端末（１）と前記携帯端末（１）からの音声を発することができる無線音源（３）を脱着可能に接続するための連結装置であって，
前記無線端末（１）と，前記無線音源（３）に接続されるコード（２１）を有し，
前記コード（２１）は，第一の端部に，前記携帯端末（１）の出力部である穴（９）に対応した第１の取付け具（１１）を有し，
前記コード（２１）は，第２の端部に，前記無線音源（３）の電力供給部と接続するための第２の取付け具（１３）を有し，
前記携帯端末（１）の出力部から，前記コード（２１）を介して，前記無線音源（３）へ電力を供給できる，連結装置。
【請求項６】
請求項５に記載の連結装置であって，前記コード（２１）は，第１のコード部（５）と第２のコード部（７）とを有し，第１及び第２のコード部（５，７）のいずれか又は両方が有する連結部（１５）を介して，第１のコード部（５）と第２のコード部（７）とが脱着できるように接続される，連結装置。
【発明の詳細な説明】
【技術分野】
【０００１】
本発明は，携帯電話とヘッドセットを脱着可能に接続する装置に関する。
【背景技術】
【０００２】
アイフォン（登録商標）などの携帯電話を耳及び口に近づけることなく，通話するための装置として，ヘッドセットが知られている。ヘッドセットには，携帯電話と有線で接続されたものが存在する。また，ヘッドセットは，たとえば，ブルートゥース（登録商標）規格に基づき，無線にて携帯電話からの音声信号を受け取り，また，ヘッドセットのマイクへと入力された音声を信号に変えて，携帯電話へ音声信号として伝える。このような無線機能を有するヘッドセットを用いれば，携帯電話を耳及び口に近づけることなく，携帯電話を用いて通話することができる。
【先行技術文献】
【特許文献】
【０００３】
【特許文献１】特開2016-006925号公報
【発明の概要】
【発明が解決しようとする課題】
【０００４】
しかしながら，無線機能を有するヘッドセットは，通常，携帯電話とは別に保管されている。このため，携帯電話を用いて通話しようとした際には，ヘッドセットの場所がわからないという問題が生ずる。
【課題を解決するための手段】
【０００５】
本発明は，基本的には，たとえば，アイフォン（登録商標）のイヤホンジャックなどの穴に接続用の要素を設けて，本来無線で情報を授受することができる無線音源をコードで携帯端末と接続しておき，しかもコードは脱着できるようするというものである。このため，例えば，通常の保管時は，アイフォン（登録商標）と，ヘッドセットが接続されており，通話等を行うときには，アイフォン（登録商標）のそばにヘッドセットが存在することとなる。そして，通話を行う際には，接続部を外すことで，アイフォン（登録商標）と，ヘッドセットとが分離し，利用しやすくなるという知見に基づくものである。
【発明の効果】
【０００６】
本発明によれば，携帯端末を使用する前には，無線音源が携帯端末のそばに存在し，実際に携帯端末を使用するときには，無線音源を携帯端末から分離して利用することができる装置を提供できる。
【図面の簡単な説明】
【０００７】
【図１】図１は，本発明の装置を説明するための概念図である。
【発明を実施するための形態】
【０００８】
以下，図面を用いて本発明を実施するための形態について説明する。本発明は，以下に説明する形態に限定されるものではなく，以下の形態から当業者が自明な範囲で適宜修正したものも含む。
【０００９】
図１は，本発明の装置を説明するための概念図である。
図１に示されるように，本発明の装置は，携帯端末１と，携帯端末１からの音声を発することができる無線音源３を脱着可能に接続するための連結装置である。携帯端末１の例は，携帯電話である。さらに具体的に説明すると，携帯端末１の例は，アイフォン（登録商標）を含むスマートフォンである。無線音源３は，携帯端末１からの音声信号を受け取り，音として発することができる装置である。無線音源３は，無線受信機を有しており，携帯端末１から発せられる無線信号を受信し，受信した無線信号を解析して，音声情報として，出力部（たとえば，内臓スピーカ）から出力できる。無線音源３は，マイクなどの集音装置を有しており，集音した音を音声情報として，携帯端末１に伝えることができるものが好ましい。これら音声情報の授受は，無線を介して行われる。無線音源３の例はヘッドセットである。
【００１０】
この装置は，無線端末１と接続される第１のコード部５と，無線音源３と接続される第２のコード部７を有する。コード部の長さの例は，それぞれ，１ｍｍ以上２ｍ以下である。コード部の長さは３ｃｍ以上１ｍ以下でもよく，５ｃｍ以上５０ｃｍ以下でもよい。２つのコード部の合計の長さの例は，２ｍｍ以上２．１ｍｍ以下であり，２０ｃｍ以上２ｍ以下でもよいし，３０ｃｍ以上１．５ｍ以下でもよいし，４５ｃｍ以上１ｍ以下でもよい。このコード部は，携帯端末を使用する際に，分離されてもよいし，分離されなくてもよい。その利用態様に応じてコード部の長さを調整すればよい。２つのコード部のうち少なくとも一方は，電気信号を授受できないものであることが好ましい。一方，音声信号ではなく，電気信号を２つのコード部を介して伝えることができ，これにより，無線音源又は無線端末のいずれか一方の電力を残りの方へ供給し，充電できるようにするものは，後述するとおり，本発明の好ましい別の態様である。
【００１１】
第１のコード部５は携帯端末１の穴９に対応した第１の取付け具１１を有する。通常，第１のコード部５は，連結部１５とは別の端部に，第１の取付け具１１を有する。携帯端末１に穴９が存在する場合，第１の取付け具１１は，第１のコード部５を，携帯端末１の穴９を通して外れない状態にしたものであってもよい。第１の取付け具１１は，携帯端末１の穴９に通され，第１のコード部５が巻きつけられたリングであってもよい。携帯端末１の穴９の例は，イヤホンジャック又は充電口である。携帯端末がストラップ用の穴を有する場合は，携帯端末１の穴９は，ストラップ用の穴であってもよい。イヤホンジャックにイヤホンの突起部の形状を有する第１の取付け具１１を挿入し，第１の取付け具１１と第１のコード部５が接続されたものであってもよい。充電口は，充電ケーブルを差し込むための穴である。
【００１２】
第２のコード部７は，無線音源３と接続するための第２の取付け具１３を有する。通常，第２のコード部７は，連結部１５とは別の端部に，無線音源３と接続するための第２の取付け具１３を有する。無線音源３に穴が存在する場合，第２の取付け具１３は，第２のコード部７をその穴に巻きつけたものであってもよい。第２の取付け具１３は，無線音源３の穴に巻きつけられ，第２のコード部７と接続されたリングであってもよい。
【００１３】
本発明の装置は，第１及び第２のコード部５，７のいずれか又は両方が有する連結部１５を有する。図１に示される連結部１５の例は，カニカンとリングであり，カニカンが第１のコード部５と接続され，リングが第２のコード部７と接続されている。この例では，第１及び第２のコード部５，７が連結部１５を介して脱着できるように接続される。カニカンとリングは，連結部の例であり，磁石であってもよいし，引き輪とリングの組み合わせであってもよい。連結部は，脱着することができる公知のものを採用すればよい。
【００１４】
本発明の装置は，携帯端末１と無線音源３とを脱着できるように接続できればよい。このため，第１の取付け具１１又は第２の取付け具１３が，連結部１５として機能するものであってもよい。例えば，第１の取付け具１１が連結部１５として機能する場合，第１のコード部の長さは０であってもよい。すると，通話時には，連結部１５をつけたままの無線音源（例えばヘッドセット）が，携帯端末から取り外されることとなる。また，第２の取付け具１３が連結部１５として機能する場合，第２のコード部７の長さは０であってもよい。この場合，通話時には，連結部１５をつけたままの携帯端末（例えばスマートフォン）が，無線音源から取り外されることとなる。
【００１５】
次に，連結装置が，携帯端末を電源として機能させ，無線音源へ電力を供給できるものについて説明する。この場合，連結装置は，充電機能付きの連結装置として機能することとなる。一般に，携帯端末は充電しやすい環境にある。一方，無線音源は，充電を忘れがちであり，その結果，無線音源を使用しようと思った際に，電力が切れているという事態が生じうる。そこで，この態様の連結装置は，携帯端末１と無線音源３とを取り外し可能に接続するとともに，携帯端末１を電源として利用して，無線音源へ電力を供給できるようにするものである。
【００１６】
この連結装置は，携帯端末１と携帯端末１からの音声を発することができる無線音源３を脱着可能に接続するための連結装置である。
この装置は，無線端末１と，無線音源３とそれぞれ接続されるコード２１を有する。そして，そのコード２１は，第一の端部に，携帯端末１の出力部である穴９に対応した第１の取付け具１１を有する。コード内には，導線などの電気を通す線が設けられる。携帯端末１の出力部は，携帯端末１から電力を出力できる端末（金属端末）である。そして，第１の取付け具１１は，この携帯端末１の出力部からの電力を，コード２１へと伝えることができるものである。第１の取付け具１１は，通常，携帯端末１の出力部に挿入される電気端末と同様の形状を有している。携帯端末１の出力部の例は，電源出力を行うことができるジャックであり，第１の取付け具１１の例は，そのジャックに挿入できるプラグである。また，コード２１は，第２の端部に，無線音源３の電力供給部と接続するための第２の取付け具１３を有する。第２の端部は，通常，第１の端部とは反対側の端部である。第２の取付け具１３は，無線音源３の電力供給部と接続できるものであり，通常，無線音源３の電力供給装置と同じ形状の接続端子を有している。無線音源３の電力供給部の例は，電源入力を行うことができるジャックであり，第２の取付け具１３の例は，そのジャックに挿入できるプラグである。これは先の実施態様においても妥当するものである。この連結装置を用いれば，携帯端末１の出力部から，コード２１を介して，無線音源３へ電力を供給できる。コードの長さの例は，２ｍｍ以上２．１ｍｍ以下であり，２０ｃｍ以上２ｍ以下でもよいし，３０ｃｍ以上１．５ｍ以下でもよいし，４５ｃｍ以上１ｍ以下でもよい。
【００１７】
この連結装置の好ましい態様は，先に説明したように，コード２１が第１のコード部５と第２のコード部７とを有するものである。そして，これら２つのコード部は，第１及び第２のコード部５，７のいずれか又は両方が有する連結部１５を介して，第１のコード部５と第２のコード部７とが脱着できるように接続される。
【００１８】
本発明は，上記の装置を含む通信装置をも提供する。その例は，先に説明した装置と，ヘッドセットを含むものである。さらに，この通信装置は，携帯電話を含むものであってもよい。
【産業上の利用可能性】
【００１９】
本発明は通信機器関連の分野にて利用されうる。
【符号の説明】
【００２０】
１  携帯端末
３  無線音源
５  第１のコード部
７  第２のコード部
９  携帯端末の穴
１１  第１の取付け具
１３  第２の取付け具
１５  連結部
【図１】
2019068112.tif 000003